(57)【特許請求の範囲】
【請求項１】
共通の表示画面内に複数の表示領域を備え、各表示領域に異なる画像を表示することのできる表示装置であって、
上記複数の表示領域の一部は、複数の表示方向に対してそれぞれ異なる画像を表示することが可能な同一箇所複数画像表示領域であり、
上記複数の表示領域のうち、上記同一箇所複数画像表示領域以外の領域は、各表示方向に対して略同様の画像を表示する通常表示エリアであり、
上記各表示領域に画像を表示するための多数の画素列を備え、
上記多数の画素列のうち、
上記同一箇所複数画像表示領域に画像を表示するための画素列は、画像の表示方向ごとに一定の順序で配置され、かつ、それぞれ特定の表示方向に画像を表示するように駆動電圧を印加されるように設けられており、
上記通常表示エリアに画像を表示するための画素列は、各表示方向に対して同じ画像を表示するように駆動電圧を印加されるように設けられており、
上記同一箇所複数画像表示領域に画像を表示するための画素列から出射される光が、各画素列の表示方向以外の方向から観察されないように遮光する遮光手段を備えており、
上記同一箇所複数画像表示領域および通常表示エリアに表示のための光を供給する光源を備えており、
上記光源から上記同一箇所複数画像表示領域に供給される光の輝度が、上記光源から上記通常表示エリアに供給される光の輝度よりも大きくなっており、
上記同一箇所複数画像表示領域に画像を表示するための各画素列のピッチが、上記通常表示エリアに画像を表示するための各画素列のピッチ以下であることを特徴とする表示装置。
【請求項２】
上記同一箇所複数画像表示領域に画像を表示するための画素列は、２方向に対してそれぞれ異なる画像を表示するように設けられており、
上記同一箇所複数画像表示領域に画像を表示するための各画素列のピッチが、上記通常表示エリアに画像を表示するための各画素列のピッチの半分であることを特徴とする請求項１に記載の表示装置。
【請求項３】
上記光源から上記同一箇所複数画像表示領域および上記通常表示エリアに供給する光の輝度を、
上記通常表示エリアおよび同一箇所複数画像表示領域に同じ画像を表示した場合に、上記表示画面を観察したときの輝度が両表示エリアについて略同様になるように設定したことを特徴とする請求項１または２に記載の表示装置。
【請求項４】
上記光源として発光ダイオードを用いており、
上記同一箇所複数画像表示領域に光を供給するための発光ダイオードの配置割合と、上記通常表示エリアに光を供給するための発光ダイオードの配置割合とが異なることを特徴とする請求項１〜３のいずれか１項に記載の表示装置。
【請求項５】
上記同一箇所複数画像表示領域に光を供給するための発光ダイオードの配置割合が、上記通常表示エリアに光を供給するための発光ダイオードの配置割合よりも多いことを特徴とする請求項３に記載の表示装置。
【請求項６】
上記光源として発光ダイオードを用いており、
上記同一箇所複数画像表示領域に光を供給するための発光ダイオードに供給する電流値と、上記通常表示エリアに光を供給するための発光ダイオードに供給する電流値とが異なることを特徴とする請求項１〜５のいずれか１項に記載の表示装置。
【請求項７】
上記同一箇所複数画像表示領域に光を供給するための発光ダイオードに供給する電流値が上記通常表示エリアに光を供給するための発光ダイオードに供給する電流値よりも大きいことを特徴とする請求項６に記載の表示装置。
【請求項８】
上記光源から供給される光の輝度が可変であり、
上記同一箇所複数画像表示領域および通常表示エリアに表示される画像の輝度に関する指示入力を受け付ける入力手段と、
上記入力手段に対する入力内容に応じて、上記光源から上記各表示エリアに供給する光の輝度を制御する制御手段を備えていることを特徴とする請求項１に記載の表示装置。
【請求項９】
上記光源として発光ダイオードが用いられており、
上記制御手段は、上記各発光ダイオードに供給する電流値を変化させることで、上記各表示エリアに供給する光の輝度を制御することを特徴とする請求項８に記載の表示装置。
【請求項１０】
上記遮光手段は、上記同一箇所複数画像表示領域に画像を表示するための各画素列の延在方向に対して略平行となるように設けられたストライプ状の遮光層を備えてなり、
上記遮光層のピッチは、上記同一箇所複数画像表示領域に画像を表示するための各画素列のピッチよりも短いことを特徴とする請求項１〜９のいずれか１項に記載の表示装置。
【請求項１１】
車載用の表示装置であって、
上記同一箇所複数画像表示領域に画像を表示するための画素列は、運転席側および助手席側にそれぞれ異なる画像を表示するように設けられていることを特徴とする請求項１〜１０のいずれか１項に記載の表示装置。
【発明の詳細な説明】
【技術分野】
【０００１】  本発明は、共通の表示画面内に、複数の方向に対してそれぞれ異なる画像を表示することが可能な表示領域（ＤＶ表示エリア、同一箇所複数画像表示領域）と、各方向に対して同じ画像を表示する表示領域（通常表示エリア）とを備えた表示装置に関するものである。
【背景技術】
【０００２】  従来より、共通の表示画面を用いて、複数の方向に対してそれぞれ異なる画像を表示（ＤＶ（デュアルビュー）表示、同一箇所複数画像表示）することが可能な表示装置が提案されている。【０００３】  図６は、このような表示装置の構成例を示す断面図である。この図に示す表示装置は、バリア部１２０、接着樹脂層１４０、表示パネル１１０、およびバックライト１３０を備えている。【０００４】  バックライト１３０は、表示パネル１１０に対して光を照射するものである。図７は、バックライト１３０の概略構成を示す平面図である。この図に示すように、バックライト１３０は、光源１３１と反射部１３２とを備えている。光源１３１は、例えば冷陰極管（ＣＣＦＴ；Ｃｏｌｄ  Ｃａｔｈｏｄｅ  Ｆｌｕｏｒｅｓｃｅｎｔ  Ｔｕｂｅ）や冷陰極型蛍光ランプ（ＣＣＦＬ；Ｃｏｌｄ  Ｃａｔｈｏｄｅ  Ｆｌｕｏｒｅｓｃｅｎｔ  Ｌｕｍｐ）などからなり、反射部１３２の周囲を囲むように備えられている。反射部１３２は、光源１３１からの照射光を表示パネル１１０の方向に反射し、表示パネル１１０の表示面内を均一な輝度分布（例えば２００００ｃｄ／ｃｍ２）とする。【０００５】  表示パネル１１０は、図６に示すように、対向して配置されたＴＦＴ基板１１１とＣＦ基板１１２との間に液晶層１１４が挟持されてなるアクティブマトリクス型の液晶表示パネルである。【０００６】  ＴＦＴ基板１１１上には、複数のデータ信号線（図示せず）と、各データ信号線にそれぞれ交差する複数の走査信号線（図示せず）とが設けられ、これらデータ信号線および走査信号線の組み合わせ毎に、画素が設けられている。また、各データ信号線は、ソースドライバ（図示せず）に接続されている一方、各走査信号線はゲートドライバ（図示せず）に接続されている。これにより、各画素にそれぞれ独立して駆動電圧を印加し、液晶層１１４における各画素領域の液晶分子の配向状態を変化させて表示を行うようになっている。【０００７】  ＣＦ（カラーフィルタ）基板１１２は、カラーフィルタ層１１３を備えている。図８は、ＣＦ基板１１２の概略構成を示す平面図である。この図に示すように、ＣＦ基板１１２上には、Ｒ（赤）、Ｇ（緑）、Ｂ（青）の各色のサブピクセルからなる画素を多数備えたカラーフィルタ層１１３が設けられている。また、各画素の縦方向の列は、左側用（表示装置の左側に対する表示用）の画素列と右側用（表示装置の右側に対する表示用）の画素列とがこの図における左右方向に交互に配されている。なお、この図に示す例では、各サブピクセルの水平方向のピッチは６５μｍとなっている。したがって、水平方向の画素ピッチＰｐは、Ｐｐ＝６５μｍ×３＝１９５μｍとなっている。【０００８】  接着樹脂層１４０は、表示パネル１１０とバリア部１２０とを貼り合わせるための接着層であり、透明な材料からなる。【０００９】  バリア部１２０は、バリアガラス１２１と、バリア遮光層１２２と、樹脂層１２３とからなる。バリア遮光層１２２は、バックライト１３０から照射され、表示パネル１１０を透過した光の一部を遮光するものである。樹脂層１２３は、バリアガラス１２１上にバリア遮光層１２２を覆うように形成されており、これによってバリアガラス１２１上の表面を平坦化するものである。【００１０】  図９は、バリア部１２０の概略構成を示す平面図である。この図に示すように、バリア部１２０の表面には、バリア遮光層１２２が縦方向に列をなすように形成されている。なお、この図に示す例では、バリア遮光層１２２の各列のピッチ（バリアピッチＰｂ）はＰｂ＝１２９．９９μｍに設定されている。【００１１】  また、バリア遮光層１２２の各列は、各画素列に対応するように設けられている。つまり、バリア遮光層１２２の各列は、左側用の画素列について表示装置の左側からは観察できるものの右側からは観察できず、かつ、右側用の画素列について表示装置の右側からは観察できるものの左側からは観察されないように、バックライト１３０から照射されて各画素列を透過した光の一部を遮光するように設けられている。これにより、上記表示装置では、表示装置の左側と右側とにそれぞれ異なる画像を表示（ＤＶ表示）することが可能になっている。【００１２】  また、例えば、特許文献１（特開平７−１０５４８４号公報、１９９５年４月２１日公開）には、運転席用の左，右視点用の各画像と助手席用の左，右視点用の各画像とを画素単位で交互に順次並べて合成し、運転席および助手席からステレオ画像を見ることを可能とした車両用情報表示装置が記載されている。【００１３】  また、この文献には、車両が走行状態にある場合に、運転席用の左，右視点用の各画像を空白のものとして、助手席用の左，右視点用の各画像と合成し、運転席からはステレオ画像を見ることができず、助手席のみからステレオ画像を見ることができるようにすることが記載されている。
【発明の開示】
【００１４】  しかしながら、ＤＶ表示を行うための従来の表示装置では、表示画面の全域がＤＶ表示用に形成されている。このため、従来の表示装置は、表示画面の一部の領域にどの方向から見ても同じ画像を表示し、表示画面の残りの領域にＤＶ表示を行うといった用途には不向きであった。
【００１５】  例えば、上記従来の表示装置を自動車のインストルメントパネルとして用い、表示画面の右半分（観察者側から見て右半分）の領域には、スピードメーター等を運転席側および助手席側のどちらから見ても同じ画像が見えるように表示し、表示画面の左半分には運転席側から見た場合と助手席側から見た場合とで異なる画像が観察されるように表示することが考えられる。
【００１６】  ところが、バリア層を用いてＤＶ表示を行う表示装置は、バリア層を備えない通常表示用の表示装置よりも、解像度が低いという特性がある。
【００１７】  つまり、ＤＶ表示を行わない通常表示用の表示装置では、どの観察方向から見ても表示パネルの各画素が観察されるのに対して、ＤＶ表示用の表示装置では、各観察方向からは、全画素の一部しか観察できない。例えば、運転席側および助手席側にそれぞれ異なる画像を表示する表示装置では、運転席側からは運転席側用の画素列（全画素数の半分）のみが観察され、助手席側からは助手席側用の画素列（全画素数の半分）のみが観察される。このため、ＤＶ表示用の表示装置では、同じ解像度の表示パネルを用いた、バリア層を備えない通常表示用の表示装置よりも解像度が低くなる。したがって、ＤＶ表示を行う従来の表示装置は、通常表示には不向きであった。
【００１８】  本発明は、上記の問題点に鑑みてなされたものであり、その目的は、共通の表示画面内に、通常表示に適した表示領域とＤＶ表示を行える表示領域とを備えた表示装置を提供することにある。
【００１９】  本発明の表示装置は、上記の課題を解決するために、共通の表示画面内に複数の表示領域を備え、各表示領域に異なる画像を表示することのできる表示装置であって、上記複数の表示領域の一部は、複数の表示方向に対してそれぞれ異なる画像を表示することが可能な同一箇所複数画像表示領域であり、上記複数の表示領域のうち、上記同一箇所複数画像表示領域以外の領域は、各表示方向に対して略同様の画像を表示する通常表示エリアであることを特徴としている。
【００２０】  上記の構成によれば、同一箇所複数画像表示領域に複数の表示方向に対してそれぞれ異なる画像を表示する一方、通常表示エリアに、各表示方向に対して同じ画像を表示することができる。これにより、表示画面全体を同一箇所複数画像表示領域とする従来のＤＶ表示用の表示装置において、表示画面の一部に、各表示方向に対して同じ画像を表示させる場合よりも、高品質な表示を行うことができる。
【００２１】  本発明のさらに他の目的、特徴、および優れた点は、以下に示す記載によって十分わかるであろう。また、本発明の利益は、添付図面を参照した次の説明で明白になるであろう。
【図面の簡単な説明】
【００２２】
【図１】本発明の一実施形態にかかる表示装置の概略構成を示す断面模式図である。
【図２】本発明の一実施形態にかかる表示装置に備えられるバックライトの概略構成を示す平面模式図である。
【図３】本発明の一実施形態にかかる表示装置に備えられるＣＦ基板の概略構成を示す平面模式図である。
【図４】本発明の一実施形態にかかる表示装置におけるバリア部の概略構成を示す平面模式図である。
【図５】本発明の一実施形態にかかる表示装置において、通常表示エリアおよびＤＶ表示エリアの輝度を可変とするための構成例を示すブロック図である。
【図６】従来の表示装置を示す断面模式図である。
【図７】従来の表示装置に備えられるバックライトを示す平面模式図である。
【図８】従来の表示装置に備えられるＣＦ基板を示す平面模式図である。
【図９】従来の表示装置におけるバリア部を示す平面模式図である。
【発明を実施するための最良の形態】
【００２３】  本発明の一実施形態について、図面を参照して説明する。図１は、本実施形態にかかる表示装置１の概略構成を示す断面図である。【００２４】  表示装置１は、共通の表示画面内に、どの方向から見ても略同様の画像を表示する通常表示を行うための通常表示エリアと、複数の方向に対してそれぞれ異なる画像を表示（ＤＶ（デュアルビュー）表示）することが可能なＤＶ表示エリア（同一箇所複数画像表示領域）とを備えている。【００２５】  また、表示装置１は、自動車（車両）のインストルメントパネルとして用いられるものであり、上記ＤＶ表示エリアには、運転席側および助手席側から観察したときに、それぞれ異なる画像が観察されるように表示を行うようになっている。例えば、通常表示エリアには、スピードメーターなどの計器類の画像を表示させることができる。また、ＤＶ表示エリアには、運転席側にナビゲーション画像を表示させると共に、助手席側にテレビ映像などを表示させることができる。また、車両が走行状態にある場合、ＤＶ表示エリアにおいて、運転席側への表示を行わず、助手席側のみに表示を行うようにすることもできるようになっている。【００２６】  図１に示すように、表示装置１は、表示パネル１０、バリア部２０、バックライト３０、および接着樹脂層４０を備えている。【００２７】  バックライト３０は、表示パネル１０に対して光を照射するものである。図２は、バックライト３０の概略構成を示す平面図である。この図に示すように、バックライト３０は、光源としての多数のＬＥＤ（ｌｉｇｈｔ  ｅｍｉｔｔｉｎｇ  ｄｉｏｄｅ；発光ダイオード）３１と反射部３２とを備えてなる。なお、この図に示すように、各ＬＥＤ３１は、反射部３２の周囲に配置されている。【００２８】  また、ＬＥＤ３１の各表示エリアに対する配置割合（各表示エリアの単位面積あたりの設置数）は、ＤＶ表示エリアおよび通常表示エリアに同じ画像を表示した場合に、観察者から見た表示画面の輝度（輝度分布）が各表示エリアについて略同様になるように、表示エリア毎に異なっている。具体的には、表示装置１では、ＤＶ表示エリアと通常表示エリアとの面積比は１：１に設定されており、通常表示エリアへのＬＥＤ３１の設置数とＤＶエリアへのＬＥＤ３１の設置数との比が１：３となっている。より具体的には、表示装置１は１５型の表示装置であり、ＤＶ表示エリアに９０個、通常エリアに３０個のＬＥＤ３１を配置している。そして、これにより、表示装置１では、各ＬＥＤ３１に供給する電流値を等しくした場合に、バックライト３０から表示パネル１０におけるＤＶ表示エリアに対応する領域に照射される光の輝度が２００００ｃｄ／ｃｍ２、通常表示エリアに対応する領域に照射される光の輝度が５０００ｃｄ／ｃｍ２となるようになっている。【００２９】  表示パネル１０は、対向して配置されたＴＦＴ基板１１とＣＦ基板１２との間に液晶層１４が挟持されてなるアクティブマトリクス型の液晶表示パネルである。【００３０】  ＴＦＴ基板１１上には、多数のデータ信号線（図示せず）と、各データ信号線にそれぞれ交差する多数の走査信号線（図示せず）とが設けられ、これらデータ信号線および走査信号線の組み合わせ毎に、画素が設けら���ている。また、各データ信号線はソースドライバが接続されている一方、各走査信号線は、ゲートドライバ（いずれも図示せず）に接続されている。ソースドライバおよびゲートドライバは、各画素に、それぞれの画素の表示方向に応じた画像を表示させるための信号（データ）を生成する。これにより、各画素にそれぞれ独立して上記生成した信号に応じた駆動電圧を印加し、液晶層１４における各画素領域の液晶分子の配向状態を変化させて表示を行うようになっている。なお、表示装置１では、ＴＦＴ基板１１の厚さは７００μｍとなっている。【００３１】  ＣＦ（カラーフィルタ）基板１２は、カラーフィルタ層１３を備えている。なお、ＣＦ基板１２は、ケミカルエッチング処理あるいは研磨などのメカニカル処理によって薄型化され、厚さ５０μｍに設定されている。図３は、ＣＦ基板１２の概略構成を示す平面図である。この図に示すように、ＣＦ基板１２上には、Ｒ（赤）、Ｇ（緑）、Ｂ（青）の各色のサブピクセルを、各画素について備えたカラーフィルタ層１３が設けられている。【００３２】  なお、ＤＶ表示エリアでは、各画素の縦方向の列（画素列）は、運転席側用（運転席側に対する表示用）の画素列ＰＬ１と助手席側用（助手席側に対する表示用）の画素列ＰＬ２とが、この図における左右方向に交互に配されている。つまり、ＤＶ表示エリアに画像を表示するための各画素列は、画像を表示する方向ごとに一定の順序で配置されている。また、ＤＶ表示エリアにおける各画素列は、それぞれの表示方向に応じた画像を表示するように駆動電圧を印加される（データを入力される）ようになっている。なお、通常表示エリアにおける各画素列は、各表示方向に対して同じ画像を表示するように駆動電圧を印加される（データを入力される）ようになっている。【００３３】  また、表示装置１では、ＤＶ表示エリアに画像を表示するための画素列と通常表示エリアに画像を表示するための画素列とで、各サブピクセルの水平方向のピッチが異なっている。具体的には、ＤＶ表示エリアに画像を表示するための画素列における各サブピクセルのピッチは３２．５０μｍとなっており、通常表示エリアに画像を表示するための画素列における各サブピクセルのピッチは６５．００μｍとなっている。したがって、ＤＶ表示エリアにおける水平方向の画素ピッチ（画素列のピッチ）Ｐｐ１はＰｐ１＝３２．５０×３＝９７．５μｍとなっており、通常表示エリアにおける水平方向の画素ピッチ（画素列のピッチ）Ｐｐ２はＰｐ２＝６５．００×３＝１９５μｍとなっている。つまり、ＤＶ表示エリアにおける水平方向の画素ピッチＰｐ１は、通常表示エリアにおける水平方向の画素ピッチＰｐ２の半分になっている。換言すれば、ＤＶ表示エリアにおける画素密度は、通常表示エリアにおける画素密度の２倍になっている。【００３４】  なお、表示パネル１０における垂直方向の画素ピッチについては、通常表示エリアおよびＤＶ表示エリアについて同じ値であってもよい。【００３５】  接着樹脂層４０は、表示パネル１０とバリア部２０とを貼り合わせるための接着層であり、厚さ３０μｍの透明な樹脂からなる。【００３６】  バリア部２０は、バリアガラス２１と、バリア遮光層２２と、樹脂層２３とか���なる。バリア遮光層２２は、バックライト３０から照射され、表示パネル１０のＤＶ表示エリアを透過した光の一部を遮光するものである。樹脂層２３は、バリアガラス２１上にバリア遮光層２２を覆うように形成されており、これによってバリアガラス２１上の表面が平坦化されている。バリアガラス２１上に形成された樹脂層２３の厚さは、４０μｍである。【００３７】  図４は、バリア部２０の概略構成を示す平面図である。この図に示すように、バリア部２０の表面における、ＤＶ表示エリアに対応する領域には、バリア遮光層２２が縦方向に列をなすようにストライプ状に形成されている。なお、バリア遮光層２２は、通常表示エリアに対応する領域には形成されておらず、ＤＶ表示エリアのみに形成されている。また、バリア遮光層２２の各列のピッチ（バリアピッチ）Ｐｂ１は、Ｐｂ１＝６４．９９μｍに設定されている。【００３８】  また、バリア遮光層２２の各列は、ＤＶ表示エリアにおける各画素列に対応するように設けられている。つまり、バリア遮光層２２の各列は、ＤＶ表示エリアの各画素列ＰＬ１、ＰＬ２から出射される光の一部を、各画素列の表示方向以外の方向から観察されないように遮光するように設けられている。したがって、運転席側用の画素列ＰＬ１について運転席側からは観察できるものの助手席側からは観察できず、かつ、助手席側用の画素列ＰＬ２について助手席側からは観察できるものの運転席側からは観察されないようになっている。これにより、表示装置１では、ＤＶ表示エリアにおいて、運転席側と助手席側とに異なる画像を表示することが可能になっている。【００３９】  以上のように、表示装置１は、共通の表示画面内に、どの方向から見ても略同様の画像を表示する通常表示を行うための通常表示エリアと、複数の方向に対してそれぞれ異なる画像を表示することが可能なＤＶ表示エリアとを備えている。【００４０】  これにより、通常表示エリアに、どの方向から見ても同じ画像（略同様の画像）を表示することで、表示画面全体をＤＶ表示エリアとする従来のＤＶ表示用の表示装置において、ＤＶ表示エリアの一部に、各方向に対して同じ画像を表示させる場合よりも、高品質な表示（高解像度の表示）を行うことができる。【００４１】  また、表示装置１では、バックライト３０から通常表示エリアおよびＤＶ表示エリアに照射される光の輝度を、各表示エリアについて異ならせている。つまり、バックライト３０からＤＶ表示エリアに照射される光の輝度を、バックライト３０から通常表示エリアに照射される光の輝度よりも大きくしている。これにより、ＤＶ表示エリアの視認性を通常表示エリアの視認性に近づけることができる。【００４２】  また、表示装置１では、ＤＶ表示エリアおよび通常表示エリアに同じ画像を表示した場合に観察者から見た表示画面の輝度が、両表示エリアについて略同様になるように、バックライト３０から各表示エリアに照射する光の輝度を設定している。【００４３】  これにより、ＤＶ表示エリアの視認性と通常表示エリアの視認性とを略同様にすることができる。したがって、観察者は、表示画面全体を違和感なく観察することができる。また、例えば、通常表示エリアとＤＶ表示エリアとを含む表示画面全���に一体的な画像を表示する場合でも、観察者はこの一体的な画像を違和感なく観察できる。【００４４】  また、表示装置１では、ＤＶ表示エリアに対するＬＥＤ３１の設置数と通常表示エリアに対するＬＥＤ３１の設置数との比を１：３としているが、各表示エリアに対するＬＥＤ３１の設置数はこれに限るものではない。ＤＶ表示エリアに対するＬＥＤ３１の設置割合（単位面積あたりの設置数）を通常表示エリアに対する設置割合よりも多くすることで、両表示エリアの視認性を近づけることができる。【００４５】  なお、表示パネル１０の各表示エリアに入射される光の輝度は、各表示エリアの面積に反比例し、各表示エリアに対するＬＥＤ３１の設置数に比例する。つまり、ＬＥＤ３１の設置割合に比例する。このため、ＬＥＤ３１の各表示エリアに対する設置割合（あるいは設置数）は、各表示エリアの面積と、各表示エリアに要求される入射光の明るさとに応じて適宜設定すればよい。【００４６】  例えば、表示画面全体の視認性が略均一になるように、各表示エリアの面積に応じて、ＬＥＤ３１の各表示エリアに対する設置数を設定すればよい。【００４７】  また、上記の説明では、ＬＥＤ３１の設置割合を各表示エリアについて異ならせているが、これに限るものではない。例えば、通常表示エリアおよびＤＶ表示エリアに対するＬＥＤ３１の設置割合を同じにし、ＬＥＤ３１に供給する電流値を、光を照射する表示エリアごとに異ならせることで、両表示エリアに照射する光の輝度を異ならせてもよい。例えば、表示装置１において、各表示エリアに対するＬＥＤ３１の設置割合を同じにすると共に、通常表示エリアに光を照射するＬＥＤ３１に供給する電流値を７ｍＡ、ＤＶ表示エリアに光を照射するＬＥＤ３１に供給する電流値を２１ｍＡに設定することにより、両表示エリアに照射する光の輝度を、両表示エリアに対するＬＥＤ３１の設置割合を３：１とする場合と同様にできる。なお、両表示エリアに対するＬＥＤ３１の設置割合と、両表示エリアのＬＥＤ３１に供給する電流値との両方を、表示エリアごとに異ならせてもよい。【００４８】  また、表示装置１において、通常表示エリアおよびＤＶ表示エリアに表示される画像の輝度を、任意に変更できるようにしてもよい。また、この場合、通常表示エリアおよびＤＶ表示エリアに表示される画像の輝度を、表示エリア毎に調節できるようにしてもよい。【００４９】  図５は、両表示エリアに表示される画像の輝度を、観察者からの指示入力に応じて制御するための構成例を示すブロック図である。この場合、図５に示すように、表示装置１に、操作入力部５１、電流値制御部５２、および電流源回路５３を備えればよい。【００５０】  操作入力部５１は、観察者からの指示を受け付けて電流値制御部５２に観察者からの指示を伝達するインターフェースである。操作入力部５１の構成は特に限定されるものではなく、例えば、観察者がボタンや回転式のツマミなどによって指示入力するものであってもよく、あるいは無線信号によって指示入力する、いわゆるリモコンであってもよい。【００５１】  電流源回路５３は、各ＬＥＤ３１を発光させるための電流を供給するものであり、供給する電流量は、各表示エリアについて可変となっている。【００５２】  電流値制御部５２は、電流源回路５３を制御し、操作入力部５１を介して入力された指示に応じた輝度を実現するように、各表示エリア用のＬＥＤ３１に供給する電流値を設定する。【００５３】  表示装置１に、このような構成を備えることにより、観察者は、各表示エリアに表示される画像の輝度をそれぞれ任意に設定することができる。したがって、観察者は、例えば各表示エリアに表示する画像の種類や用途などに応じて、各表示エリアに表示される画像の輝度を調節することができる。【００５４】  また、表示装置１では、光源としてＬＥＤを用いているが、これに限るものではない。ただし、ＬＥＤを用いることにより、ＬＥＤの各表示エリアに対する設置割合、あるいは各ＬＥＤに供給する電流量によって、各表示エリアに対するバックライト３０からの照射光の輝度を容易に制御することができる。また、ＬＥＤを用いることにより、各ＬＥＤに供給する電流値を制御することで、各表示エリアに表示される画像の輝度を容易かつ精度よく制御することができる。【００５５】  また、表示装置１では、ＤＶ表示エリアにおける水平方向の画素ピッチＰｐ１を、通常表示エリアにおける水平方向の画素ピッチＰｐ２の半分に設定しているが、これに限るものではなく、Ｐｐ１≦Ｐｐ２となるように設定すればよい。これにより、ＤＶ表示エリアに表示する画像の表示品質を、通常表示エリアに表示する画像の表示品質に近づけることができる。【００５６】  なお、ＤＶ表示エリアでは、運転者側用の画素列ＰＬ１と助手席側用の画素列ＰＬ２とが交互に配置されており、運転者側および助手席側からは、それぞれＤＶ表示エリアにおける全画素数の半分の画素数（解像度）しか観察できない。例えば、縦４００×横６００の解像度のＤＶ表示エリアを用いる場合、観察者は縦４００×横３００の画像を見ることになる。一方、通常表示エリアでは、そのままの解像度の表示をみることができる。例えば、縦４００×横６００の解像度のＤＶ表示エリアを用いる場合、観察者は縦４００×横６００の画像をそのまま見ることができる。このため、ＤＶ表示エリアにおける水平方向の画素ピッチＰｐ１と、通常表示エリアにおける水平方向の画素ピッチＰｐ２とが等しい場合、観察者によって観察されるＤＶ表示エリアの画像は、通常表示エリアよりも画質（解像度、精細度）が低下してしまう。特に、通常表示エリアおよびＤＶ表示エリアを含む表示画面全体に一体的な画像を表示する場合には、両表示エリアの表示品質の差異が観察者に認識されやすいので、観察者に違和感を与えてしまう。【００５７】  これに対して、ＤＶ表示エリアにおける水平方向の画素ピッチＰｐ１を、通常表示エリアにおける水平方向の画素ピッチＰｐ２の半分（Ｐｐ１：Ｐｐ２＝１：２）に設定することにより、ＤＶ表示エリアおよび通常表示エリアの表示品質を略同程度に保つことができる。つまり、ＤＶ表示エリアに表示される画像を運転席側および助手席側のいずれの方向から見た場合でも、通常表示エリアと略同様の解像度の画像として見ることができる。したがって、例えば、通常表示エリアおよびＤＶ表示エリアを含む表示画面全体に一体的な画像を表示する場合でも、観察者は両表示エリアに表示さ���た画像を違和感無く観察することができる。【００５８】  また、表示装置１では、バリア遮光層２２のバリアピッチＰｂ１が、ＤＶエリアにおける画素ピッチ（ＣＦピッチ）Ｐｐ１よりも短くなっている。これにより、ＤＶ表示エリアにおいて、均一なＤＶ表示を行うことができる。なお、バリア部２０（バリア遮光層２２）は、表示パネル１０（画素列）よりも観察者側に備えられてもよく、観察者側とは反対側、すなわち光源３１側に備えられてもよい。ただし、均一なＤＶ表示を行うためには、バリア部２０を観察者側に配置する場合にはバリア遮光層２２のピッチを画素ピッチＰｐ１よりも短くし、光源３１側に配置する場合にはバリア遮光層２２のピッチを画素ピッチＰｐ１よりも長くする必要がある。【００５９】  また、上記したように、表示装置１では、車両が走行状態にある場合、ＤＶ表示エリアにおいて、運転席側への表示を行わず、助手席側のみに表示を行うことができる。ここで、運転席側に表示を行わないとは、実際に何も表示しない場合だけでなく、例えば黒色等を単色で表示するなどして実質的に表示を行わない場合を含む。このように、走行中、ＤＶ表示エリアにおいて運転席側への表示を行わない（あるいは実質的に表示を行わない）ようにすることで、運転者の運転操作に対する注意力が低下することを防止できる。【００６０】  なお、車両が走行状態にあることを検出する手段として、車両の速度センサや、ギヤシフトポジションセンサ、パーキングブレーキの状態を検知するセンサなどを備え、その検知結果に応じて、停止状態の時と走行状態の時とで、ＤＶ表示エリアにおける運転者側への表示内容を変更するようにしてもよい。【００６１】  また、本発明は、車両が走行状態にある場合、ＤＶ表示エリアにおいて、運転席側への表示を行わない構成に限定されるものではない。例えば、ナビゲーション情報や車両周囲を撮影した画像などを走行中でも運転席側から観察できるように表示してもよい。ただし、法律・条例等で走行中の画像表示が禁止されている場合などには、それらの規定を遵守すべきことは言うまでもない。また、走行中に表示を行う場合であっても、運転者の注意力が散漫して走行に関する安全性を低下させるような情報の表示は避ける必要がある。【００６２】  また、表示装置１では、表示パネル１０として液晶表示パネルを用いているが、これに限るものではない。例えば、表示パネル１０として、有機ＥＬ（Ｅｌｅｃｔｒｏ  Ｌｕｍｉｎｅｓｅｎｃｅ）パネルや、プラズマディスプレイパネル（Ｐｌａｓｍａ  Ｄｉｓｐｌａｙ  Ｐａｎｅｌ）、ＣＲＴ（Ｃａｔｈｏｄｅ  Ｒａｙ  Ｔｕｂｅ）などを用いてもよい。【００６３】  また、本実施形態では、表示装置１を自動車のインストルメントパネルとして用いる場合について説明したが、本発明の表示装置の用途はこれに限るものではない。例えば、インストルメントパネルではなく、ナビゲーション画像やテレビ画像等を表示するための車載用の表示装置として用いるものであってもよい。また、車載用に限らず、テレビやモニター等の表示装置や、ワープロ、パーソナルコンピュータ等のＯＡ（Ｏｆｆｉｃｅ  Ａｕｔｏｍａｔｉｏｎ）機器、ビデオカメラ、デジタルカメラ、携帯電話等の情報端末など���備えられる表示装置などに広く用いることができる。【００６４】  また、本実施形態では、表示装置１の各部について、具体的な寸法例を示しているが、これらは本発明を限定するものではなく、表示装置の用途等に応じて適宜設定すればよい。【００６５】  また、表示装置１では、表示画面内に、ＤＶ表示エリアと通常表示エリアとを各１つづつ備えているが、これに限るものではない。例えば、表示画面内に、ＤＶ表示エリアおよび／または通常表示エリアを複数備え、各表示エリア（表示領域）にそれぞれ異なる画像を形成できる構成としてもよい。【００６６】  また、表示装置１は、ＤＶ表示エリアにおいて、運転席側と助手席側の２方向に異なる画像を表示するようになっているが、これに限らず、３方向以上にそれぞれ異なる画像を表示するものであってもよい。【００６７】  また、本実施形態では、通常表示エリアに、どの方向から見ても略同様の画像を表示するとしている。ここで、略同様の画像とは、各表示方向に対して同じ画像情報を表示するものであればよい。例えば、液晶表示パネルを用いる場合、その視野角特性によって、同じ画像情報であっても各表示方向から観察される輝度等が相違する場合があるが、このような相違は略同様の範囲内であると言える。【００６８】  また、本発明の表示装置は、上記各表示領域に画像を表示するための多数の画素列を備え、上記多数の画素列のうち、上記同一箇所複数画像表示領域に画像を表示するための画素列は、画像の表示方向ごとに一定の順序で配置され、かつ、それぞれ特定の表示方向に画像を表示するように駆動電圧を印加されるように設けられており、上記通常表示エリアに画像を表示するための画素列は、各表示方向に対して同じ画像を表示するように駆動電圧を印加されるように設けられており、上記同一箇所複数画像表示領域に画像を表示するための画素列から出射される光が、各画素列の表示方向以外の方向から観察されないように遮光する遮光手段を備えている構成であってもよい。【００６９】  上記の構成によれば、上記同一箇所複数画像表示領域に、複数の表示方向に対してそれぞれ異なる画像を表示するとともに、上記通常表示エリアに、各表示方向に対して略同じ画像を表示することができる。【００７０】  また、上記同一箇所複数画像表示領域および通常表示エリアに表示のための光を供給する光源を備えており、上記光源から上記同一箇所複数画像表示領域に供給される光の輝度が、上記光源から上記通常表示エリアに供給される光の輝度よりも大きい構成としてもよい。【００７１】  同一箇所複数画像表示領域に画像を表示するための各画素列は、画像を表示する方向ごとに一定の順序で配置されている。また、同一箇所複数画像表示領域では、各画素列から出射された光のうち、その画素列の表示方向以外の方向に出射される光は、遮光手段によって遮光される。このため、光源から各表示エリアに供給される光の輝度が同じ場合、表示画面を観察したときの明るさは、通常表示エリアよりも同一箇所複数画像表示領域の方が暗くなる。そこで、光源から同一箇所複数画像表示領域に供給する光の輝度を、通常表示エリアに供給する光の輝度よりも大きくすることにより、観察者が表示画面を観察したときの同一箇所複数画像表示領域の輝度を、通常表示エリアの輝度に近づけることができる。これにより、通常表示エリアの視認性と同一箇所複数画像表示領域の視認性との差を小さくすることができるので、観察者は、表示画面全体を違和感なく観察することができる。【００７２】  また、上記光源から上記同一箇所複数画像表示領域および上記通常表示エリアに供給する光の輝度を、上記通常表示エリアおよび同一箇所複数画像表示領域に同じ画像を表示した場合に、上記表示画面を観察したときの輝度が両表示エリアについて略同様になるように設定してもよい。【００７３】  光源から各表示エリアに供給する光の輝度をこのように設定することにより、同一箇所複数画像表示領域と通常表示エリアとで、略同等の視認性を実現することができる。【００７４】  また、上記光源として発光ダイオードを用いており、上記同一箇所複数画像表示領域に光を供給するための発光ダイオードの配置割合と、上記通常表示エリアに光を供給するための発光ダイオードの配置割合とが異なる構成としてもよい。【００７５】  光源として発光ダイオードを用いる場合、光源から各表示エリアに照射される光の輝度は、各表示エリアに対する発光ダイオードの配置割合に比例する。このため、各表示エリアに光を供給する発光ダイオードの配置割合を異ならせることで、上記光源から各表示エリアに供給される光の輝度を異ならせることができる。【００７６】  また、上記同一箇所複数画像表示領域に光を供給するための発光ダイオードの配置割合が、上記通常表示エリアに光を供給するための発光ダイオードの配置割合よりも多いことが好ましい。上記構成によれば、同一箇所複数画像表示領域の視認性と通常表示エリアの視認性とを近づけることができる。【００７７】  また、上記光源として発光ダイオードを用いており、上記同一箇所複数画像表示領域に光を供給するための発光ダイオードに供給する電流値と、上記通常表示エリアに光を供給するための発光ダイオードに供給する電流値とが異なる構成としてもよい。【００７８】  光源として発光ダイオードを用いる場合、各発光ダイオードから照射される光の輝度は、その発光ダイオードに供給される電流値に比例する。このため、各表示エリアに光を供給するための各発光ダイオードに供給する電流値を表示エリア毎に異ならせることで、上記光源から各表示エリアに供給される光の輝度を異ならせることができる。【００７９】  また、上記同一箇所複数画像表示領域に光を供給するための発光ダイオードに供給する電流値が上記通常表示エリアに光を供給するための発光ダイオードに供給する電流値よりも大きいことが好ましい。上記構成によれば、同一箇所複数画像表示領域の視認性と通常表示エリアの視認性とを近づけることができる。【００８０】  また、上記同一箇所複数画像表示領域および通常表示エリアに表示のための光を供給するための、輝度が可変な光源と、上記同一箇所複数画像表示領域および通常表示エリアに表示される画像の輝度に関する指示入力を受け付ける入力手段と、上記入力手段に対する入力内容に応じて、上記光源から上記各表示エリアに供給する光の輝度を制御する制御手段を備えている構成としてもよい。【００８１】  上記の構成によ���ば、観察者が表示画面を観察したときの、通常表示エリアおよび同一箇所複数画像表示領域の輝度を、入力手段に対して入力された指示に応じて、表示エリア毎に調節することができる。したがって、例えば各表示エリアに表示する画像の種類や用途などに応じて、各表示エリアの明るさを観察者が任意に調節することができる。【００８２】  また、上記光源として発光ダイオードが用いられており、上記制御手段は、上記各発光ダイオードに供給する電流値を変化させることで、上記各表示エリアに供給する光の輝度を制御する構成としてもよい。【００８３】  光源として発光ダイオードを用いる場合、各発光ダイオードから照射される光の輝度は、その発光ダイオードに供給される電流値に比例する。このため、各表示エリアに光を供給するための各発光ダイオードに供給する電流値を変化させることで、観察者が表示画面を観察したときの、通常表示エリアおよび同一箇所複数画像表示領域の輝度を容易に制御できる。【００８４】  また、上記同一箇所複数画像表示領域に画像を表示するための各画素列のピッチが、上記通常表示エリアに画像を表示するための各画素列のピッチ以下である構成としてもよい。【００８５】  同一箇所複数画像表示領域に画像を表示するための画素列は、画像の表示方向ごとに一定の順序で配置されている。また、同一箇所複数画像表示領域に画像を表示するための各画素列から出射した光の一部は、遮光手段によって、その画素列の表示方向以外の方向から観察されないように遮光される。したがって、観察者側からは、同一箇所複数画像表示領域に画像を表示するための全画素列の一部、すなわち、その観察者の方向に画像を表示するための画素列しか観察されない。このため、例えば、同一箇所複数画像表示領域に画像を表示するための各画素列のピッチと、通常表示エリアに画像を表示するための各画素列のピッチとが等しい場合、観察者から観察される画素列は、通常表示エリアよりも同一箇所複数画像表示領域の方が少なくなる。したがって、観察者によって観察される同一箇所複数画像表示領域の画質は、通常表示エリアよりも低下してしまう。【００８６】  これに対して、上記の構成によれば、上記同一箇所複数画像表示領域に画像を表示するための各画素列のピッチを、上記通常表示エリアに画像を表示するための各画素列のピッチ以下としている。すなわち、上記同一箇所複数画像表示領域に画像を表示するための画素密度が、上記通常表示エリアに画像を表示するための画素密度よりも大きくなっている。これにより、同一箇所複数画像表示領域の画質を、通常表示エリアの画質に近づけることができる。【００８７】  また、上記同一箇所複数画像表示領域に画像を表示するための画素列は、２方向に対してそれぞれ異なる画像を表示するように設けられており、上記同一箇所複数画像表示領域に画像を表示するための各画素列のピッチが、上記通常表示エリアに画像を表示するための各画素列のピッチの半分である構成としてもよい。【００８８】  同一箇所複数画像表示領域に画像を表示するための画素列が、２方向に対してそれぞれ異なる画像を表示するように設けられている場合、各表示方向から同一箇所複数画像表示領域を見たときに観察される画素��の数は、同一箇所複数画像表示領域に画像を表示するための全画素列の半分になる。そこで、上記の構成の各画素成では、同一箇所複数画像表示領域に画像を表示するための各画素列のピッチを、通常表示エリアに画像を表示するた列のピッチの半分としている。すなわち、同一箇所複数画像表示領域に画像を表示するための画素密度を、通常表示エリアに画像を表示するための画素密度の２倍にしている。これにより、同一箇所複数画像表示領域および通常表示エリアの表示品質を略同程度にすることができる。【００８９】  また、上記遮光手段は、上記同一箇所複数画像表示領域に画像を表示するための各画素列の延在方向に対して略平行となるように設けられたストライプ状の遮光層を備えてなり、上記遮光層のピッチは、上記同一箇所複数画像表示領域に画像を表示するための各画素列のピッチと異ならせることが好ましい。【００９０】  上記の構成によれば、上記遮光層のピッチを、上記画素列のピッチと異ならせることにより、上記同一箇所複数画像表示領域において、均一な同一箇所複数画像表示を行うことができる。なお、上記遮光層は、上記画素列よりも観察者側に備えられてもよく、観察者側とは反対側に備えられてもよい。遮光層を観察者側に配置する場合には遮光層のピッチを画素列のピッチよりも短くし、観察者側とは反対側に配置する場合には遮光層のピッチを画素列のピッチよりも長くすることにより、均一な同一箇所複数画像表示を行うことができる。【００９１】  また、本発明の表示装置は、車載用の表示装置であって、上記同一箇所複数画像表示領域に画像を表示するための画素列は、運転席側および助手席側にそれぞれ異なる画像を表示するように設けられている構成であってもよい。【００９２】  上記の構成によれば、上記同一箇所複数画像表示領域において、運転者側と助手席側とにそれぞれ異なる画像を表示させることができる。例えば、助手席側にはテレビ画像などを表示させ、運転者側には車両周囲の映像など、運転に必要な情報を表示させることができる。また、同一箇所複数画像表示領域において、助手席側にはテレビ映像等を表示する一方、運転者側には何も表示しないようにすることもできる。【００９３】  本発明の表示装置は、共通の表示画面内に備えられた複数の表示領域の一部が、複数の表示方向に対してそれぞれ異なる画像を表示することが可能な同一箇所複数画像表示領域であり、上記複数の表示領域のうち、上記同一箇所複数画像表示領域以外の領域が、各表示方向に対して略同じ画像を表示する通常表示エリアになっている。【００９４】  それゆえ、表示画面全体を同一箇所複数画像表示領域とする従来のＤＶ表示用の表示装置において、表示画面の一部に、各表示方向に対して同じ画像を表示させる場合よりも、高品質な表示を行うことができる。【００９５】  本発明は、上記した主要な特徴から逸脱することなく、他のいろいろな形で実施することができる。そのため、上述の実施形態はあらゆる点で単なる例示にすぎず、限定的に解釈されるべきではない。本発明の範囲は特許請求の範囲によって示すものであって、明細書本文には、なんら拘束されない。さらに、特許請求の範囲の均等範囲に属する変形や変更、プロセスは、全て本発明の範囲内のものである。
【産業上の利用可能性】
【００９６】  本発明の表示装置は、車両等の移動手段に搭載される表示装置、テレビやモニター等の表示装置、ワープロ、パーソナルコンピュータ等のＯＡ（Ｏｆｆｉｃｅ  Ａｕｔｏｍａｔｉｏｎ）機器、ビデオカメラ、デジタルカメラ、携帯電話等の情報端末などに備えられる表示装置などに広く用いることができる。
【図１】
0004246247.tif 000002
【図２】
0004246247.tif 000003
【図３】
0004246247.tif 000004
【図４】
0004246247.tif 000005
【図５】
0004246247.tif 000006
【図６】
0004246247.tif 000007
【図７】
0004246247.tif 000008
【図８】
0004246247.tif 000009
【図９】
0004246247.tif 000010